(57)【要約】【課題】無駄な資源を発生させず、作業性を大幅に改善した枚葉の包装用フィルムの提供。【解決手段】対向する一対の両端部をそれぞれ外三つ折り部２とし、それぞれの外三つ折り部２の内側となる面であってその折りを開いた際にトレイ１２側となる面に糊を塗布した包装用フィルム１である。この包装用フィルム１は、外三つ折り部２の両方の折りを引き剥がし、果実１３を入れたトレイ１２の開口部１４の上にそのまま合わせる。そして、包装用フィルム１の両端部の糊の付いた面をトレイ１２の側面１６に押し付けて貼り付けることにより、包装が完了する。【選択図】  図７
0003106302.tif 000002
【実用新案登録請求の範囲】
【請求項１】
容器の開口部に被せる枚葉の包装用フィルムであって、対向する一対の両端部をそれぞれ外三つ折り部とし、それぞれの外三つ折り部の内側となる面であってその折りを開いた際に前記容器側となる面に粘着剤を塗布した包装用フィルム。
【請求項２】
前記粘着剤は端縁に沿って並列に複数本設けたものである請求項１記載の包装用フィルム。
【請求項３】
前記粘着剤は前記外三つ折り部の内側となる面の一方の面に塗布されたものであり、この面に対向する面にはシリコーンを塗布した請求項１または２に記載の包装用フィルム。
【請求項４】
前記粘着剤は前記外三つ折り部の内側となる面であってその折りを開いた際に前記端縁に近い面に塗布されたものである請求項１から３のいずれかに記載の包装用フィルム。
【請求項５】
前記粘着剤は前記端縁に沿う方向の中央部を除いて塗布したものである請求項１から４のいずれかに記載の包装用フィルム。
【請求項６】
前記粘着剤は前記端縁に沿う方向の両端部を除いて塗布したものである請求項１から５のいずれかに記載の包装用フィルム。
【請求項７】
前記外三つ折り部の外側に把持部を設けた請求項１から６のいずれかに記載の包装用フィルム。
【考案の詳細な説明】
【技術分野】
【０００１】
本考案は、紙容器やプラスチック容器等の容器に収容した果実や野菜等を包装するための枚葉の包装用フィルムに関する。
【背景技術】
【０００２】
従来、ぶどう、いちご、さくらんぼ等の果実の包装は、上面を開口させた紙製やプラスチック製の容器内に果実を直接収容し、容器の対向する一対の壁に、透明フィルムの対向する一対の縁部をそれぞれ接着により取り付けて、容器の上面開口部に透明フィルムを被せてこの上面開口を覆うやり方が一般的である（特許文献１の段落〔０００２〕参照。）。
【０００３】
透明フィルムは、合成樹脂材料等の所望な材料からなるフィルムの対向する一対短辺縁部にはその端縁に沿って接着層がそれぞれ塗着されている。この接着層は、フィルム面に例えば感圧接着剤を塗布することにより、短辺縁部に沿って帯状に設けられている。また、この接着層の表面には剥離紙が貼着されており、この剥離紙を剥がすことによって容器に接着可能となっている（特許文献１の段落〔００１５〕、図５参照。）。
【０００４】
【特許文献１】特開２００１−１４６２６４号公報
【考案の開示】
【考案が解決しようとする課題】
【０００５】
上記のように従来の透明フィルムは、接着時に剥離紙を剥がす必要があるが、剥離紙は透明フィルムから完全に分離しなければならない。また、剥離紙はフィルムの対向する一対短辺端部に貼着されているので、この剥離紙の分離作業をフィルム１枚当たり２回行わなければならない。このように従来の透明フィルムは、作業性が良くないうえ、剥がした剥離紙がごみとなるので、無駄な資源が発生する。
【０００６】
そこで、本考案においては、無駄な資源を発生させず、作業性を大幅に改善した枚葉の包装用フィルムを提供することを目的とする。
【課題を解決するための手段】
【０００７】
本考案の包装用フィルムは、容器の開口部に被せる枚葉の包装用フィルムであって、対向する一対の両端部をそれぞれ外三つ折り部とし、それぞれの外三つ折り部の内側となる面であってその折りを開いた際に容器側となる面に粘着剤を塗布したものである。ここで、「外三つ折り」とは、蛇腹折りの一種であり、三つに分けた部分をＺ字型にする折り方である。なお、Ｚ字型に折るため、「Ｚ折り」と呼ぶ場合もある。
【０００８】
本考案の包装用フィルムによれば、外三つ折り部が折られた状態では粘着剤が外三つ折り部の内側となる面に接着して外三つ折り部の折り状態を維持するとともに、粘着剤が包装用フィルムの表裏面に露出しないので、他に接着することがない。また、対向する一対の両端部の外三つ折り部を外側へ引っ張ると、外三つ折り部の折りが開かれ、容器側となる面に粘着剤が露出するので、そのまま容器の開口部に被せて容器に接着することができる。
【０００９】
ここで、粘着剤は端縁に沿って並列に複数本設けたものであることが望ましい。これにより、粘着剤の接着面積を確保したまま、外三つ折り部を外側へ引っ張った際の引っ張り方向の粘着剤１本当たりの幅を小さくすることができるので、外三つ折り部の折りを開く際に粘着剤が外三つ折り部の内側面から容易に剥がれるようになる。
【００１０】
また、粘着剤は外三つ折り部の内側となる面の一方の面に塗布されたものであり、この面に対向する面にはシリコーンを塗布したものとするのが望ましい。粘着剤が塗布された面に対向する面にシリコーンが塗布されていることにより、粘着剤はこのシリコーンの塗布面に軽く接着するだけで容易に剥がれやすくなり、外三つ折り部を開いた際、このシリコーンの塗布面には粘着剤は残らない。
【００１１】
また、粘着剤は外三つ折り部の内側となる面であってその折りを開いた際に端縁に近い面に塗布されたものであることが望ましい。これにより、端縁に近い位置で包装用フィルムを容器に接着することができる。
【００１２】
また、粘着剤は端縁に沿う方向の中央部を除いて塗布したものであることが望ましい。これにより、外三つ折り部を開く際にこの端縁に沿う方向の中央部の粘着剤が塗布されていない部分から開きやすくなるとともに、この粘着剤が塗布されていない部分に指を入れて、容易に端部を把持することが可能となる。
【００１３】
また、粘着剤は端縁に沿う方向の両端部を除いて塗布したものであることが望ましい。開口部面積よりも底部面積の方が狭い容器の場合、本考案の包装用フィルムを開口部に被せて容器側面に貼り付けると、包装用フィルムの両端部が容器側面からはみ出るが、粘着剤をこの両端部を除いて塗布したものとすることで、包装用フィルムのはみ出た部分が他の部分に接着してしまうのを防止することができる。
【００１４】
また、本考案の包装用フィルムは、外三つ折り部の外側に把持部を設けた構成とするのが望ましい。これにより、粘着剤によって閉じられた状態に維持されている外三つ折り部の外側の把持部を把持して、外三つ折り部を外側へ引っ張ることができる。
【考案の効果】
【００１５】
（１）対向する一対の両端部をそれぞれ外三つ折り部とし、それぞれの外三つ折り部の内側となる面であってその折りを開いた際に容器側となる面に粘着剤を塗布したことにより、外三つ折り部が折られた状態では外三つ折り部の折り状態が維持されるとともに、粘着剤が包装用フィルムの表裏面に露出しないので、他に接着することがなく、取り扱いが容易となる。また、対向する一対の両端部の外三つ折り部を外側へ引っ張るだけで、外三つ折り部の折りが開かれ、容器側となる面に粘着剤が露出するので、そのまま容器の開口部に被せることにより作業性良く容器に接着することができる。また、従来のような剥離紙が不要であるため、包装時にごみが発生することがなく、無駄な資源が発生しない。
【００１６】
（２）粘着剤を端縁に沿って並列に複数本設けたことにより、粘着剤の接着面積を確保したまま、外三つ折り部の折りを容易に開くことが可能となり、作業性が向上する。
【００１７】
（３）粘着剤が塗布された面に対向する面にシリコーンが塗布されていることにより、粘着剤はこのシリコーンの塗布面に軽く接着するだけで容易に剥がれやすくなるのでさらに作業性が向上する。また、外三つ折り部を開いた際、このシリコーンの塗布面に粘着剤が残らないので、見た目に美しく、また余計な部分が容器に接着されるのを防止することができる。
【００１８】
（４）粘着剤が外三つ折り部の内側となる面であってその折りを開いた際に端縁に近い面に塗布されたことにより、端縁に近い位置で包装用フィルムを容器に接着することができ、包装用フィルムの無駄な部分を省き、小型かつ安価な包装用フィルムを提供することが可能となる。
【００１９】
（５）粘着剤が端縁に沿う方向の中央部を除いて塗布したものであることにより、外三つ折り部を開く際にこの端部中央部の粘着剤が塗布されていない部分から開きやすくなるとともに、この端部の中央部の粘着剤が塗布されていない部分に指を入れて、容易に端部を把持することが可能となり、外三つ折り部の折りを開く際の作業性が向上する。
【００２０】
（６）粘着剤が端縁に沿う方向の両端部を除いて塗布したものであることにより、開口部面積よりも底部面積の方が狭い容器に、本考案の包装用フィルムを開口部に被せて容器側面に貼り付けた場合に、包装用フィルムの両端部が容器側面からはみ出た部分が他の部分に接着してしまうのを防止することができる。
【００２１】
（７）外三つ折り部の外側に把持部を設けたことにより、粘着剤によって閉じられた状態に維持されている外三つ折り部の外側の把持部を把持して、外三つ折り部を外側へ引っ張ることができ、さらに作業性が向上する。
【考案を実施するための最良の形態】
【００２２】
図１は本考案の実施の形態における包装用フィルムの平面図、図２は図１のＡ−Ａ線断面図である。
【００２３】
図１および図２に示すように、本考案の実施の形態における包装用フィルム１は、延伸ポリプロピレン（ＯＰＰ）や延伸ポリスチレン（ＯＰＳ）等の透明シートを矩形に裁断した枚葉のフィルムであって、対向する一対の左右両端部をそれぞれ外三つ折り部２としたものである。外三つ折り部２の両外側には、外三つ折り部２に重ならない部分を残すことにより把持部３を設けている。
【００２４】
また、外三つ折り部２の内側となる面であってその折りを開いた際に容器側（図２の下側）となる面の端縁４に近い方の面５には、部分的に粘着剤としての糊６が塗布されている。糊６は、包装用フィルム１の左右両端部の端縁４に沿う方向の中央部６ａおよび両端部６ｂを除いて、端縁４に沿って並列に２本ずつ合計４箇所に設けられている。
【００２５】
また、外三つ折り部２の内側となる面であってその折りを開いた際に容器側となる面の端縁４から遠い方の面７、すなわち糊６が塗布された面５と対向する面７には、全面にシリコーン８が塗布されている。糊６はシリコーン８と完全には接着せず、仮に軽く接着した状態である。
【００２６】
糊６は、用途に合わせて適宜アクリル系またはゴム系のホットメルト型の粘着剤を使用する。これらのホットメルト型の粘着剤は、加熱することにより液状となり流動性を示し、冷却すると元の固体に戻るが、常温では粘着性を維持するものである。
【００２７】
上記構成の包装用フィルム１の使用方法について、以下に説明する。
【００２８】
図３は包装用フィルム１の外三つ折り部２の折りを開く際の把持状態を示す平面図、図４および図５は外三つ折り部２の折りを開く過程を示す図２のＢ部拡大図である。
【００２９】
包装用フィルム１は、外三つ折り部２が折られた状態では、図２に示すように糊６がシリコーン８に仮に軽く接着して外三つ折り部２の折り状態を維持する。この外三つ折り部２の折りを開く場合、図３に示すように包装用フィルム１の容器側を下にし、左右両手の親指１０と人差し指１１を用いて、包装用フィルム１の左右両端部の中央部６ａを把持する。
【００３０】
このとき、外三つ折り部２は折り状態を維持しているが、外三つ折り部２の両外側に、外三つ折り部２に重ならない把持部３が設けてあるので、容易に把持することができる。また、包装用フィルムの左右両端部の中央部６ａには糊６が塗布されていないので、この中央部６ａには隙間があり、人差し指１１をこの中央部６ａの隙間に挿入して把持することができる。
【００３１】
左右両手の親指１０と人差し指１１により把持した包装用フィルム１の左右両端部を外側へ引っ張ると、図４および図５に示すように外三つ折り部２の折りが開かれていく。このとき、糊６は端縁４に沿って並列に２本ずつ塗布されており、この引っ張り方向の糊６の１本当たりの幅が小さいので、糊６はシリコーン８が塗布された面７から容易に剥がれていく。そして、図５に示すように外三つ折り部２の折りが開かれたとき、糊６はシリコーン８が塗布された面７から完全に剥がれ、この面７には残らない。
【００３２】
また、包装用フィルム１は、このように外三つ折り部２が形成されていることによって、この外三つ折り部２のそれぞれ２本の折り目２ａ，２ｂにより、包装用フィルム１にこの折り目２ａ，２ｂ方向の腰が生まれる。これにより、包装用フィルム１の左右両端部を外側へ引っ張る際、外三つ折り部２の面６，８が折り目２ａ，２ｂ方向に直線状を保ったまま折りが開かれ、糊６が面７から折り目２ａ，２ｂ方向に均一に剥がれるので、部分的に剥がれて他の部分に糊６が付着することがない。
【００３３】
なお、この包装用フィルム１の外三つ折り部２の腰の強さは、包装用フィルム１の厚さや堅さに左右されるので、包装用フィルム１は厚く堅い材質のものとするのが良い。この腰が強い程、外三つ折り部２は開きやすくなる。本実施形態における包装用フィルム１は、従来のような剥離紙を使用しないので、この剥離紙のコスト分だけ安価となるので、従来の包装用フィルム１の例えば倍の厚さとしても従来の包装用フィルム１よりも安価となる。剥離紙は、通常、紙、ポリエチレン、シリコーンの３層構造なので、かなり高価である。
【００３４】
次に、この包装用フィルム１による果実の包装手順について説明する。
【００３５】
図６は包装用フィルム１による果実の包装手順の一例を示す図である。
まず、図６の（ａ）に示すように、包装用フィルム１の外三つ折り部２の片方の折りを引き剥がし、同図（ｂ）に示すように、包装容器としてのトレイ１２の側面１６に糊６の付いた面５を押し付けることにより貼り付ける。そして、同図（ｃ）に示すように、トレイ１２内に果実１３を入れ、包装用フィルム１の外三つ折り部２のもう一方の折りを引き剥がし、トレイ１２の開口部１４に被せてもう一方の側面１６に貼り付けることにより、包装が完了する。
【００３６】
図７は包装用フィルム１による果実の包装手順の別の例を示す図である。
この場合、まず、図７の（ａ）に示すように、包装用フィルム１の外三つ折り部２の両方の折りを引き剥がし、同図（ｂ）に示すように、果実１３を入れたトレイ１２の開口部１４の上にそのまま合わせる。そして、同図（ｃ）に示すように、包装用フィルム１の両端部の糊６の付いた面５をトレイ１２の側面１６に押し付けて貼り付けることにより、包装が完了する。
【００３７】
以上のように、本実施形態における包装用フィルム１では、従来のように剥離紙を剥がす必要がなく、包装用フィルム１の外三つ折り部２を把持して外側に引っ張るだけで糊６が露出し、そのままトレイ１２に押し付けるだけで貼り付け可能な状態となるので、作業性良くトレイ１２に接着して包装を完了させることができる。また、従来のような剥離紙がないので、包装時にごみが発生することがなく、無駄な資源が発生しない。
【００３８】
なお、本実施形態における包装用フィルム１では、外三つ折り部２の外側に把持部３を設けているので、糊６によって閉じられた状態に維持されている外三つ折り部２の外側の把持部３を把持して、外三つ折り部２を外側へ引っ張ることができるため、さらに作業性良く糊６を露出させることができる。
【００３９】
また、この包装用フィルム１は、外三つ折り部２が折られた状態では、シリコーン８が塗布された面７に糊６が仮接着することにより外三つ折り部２の折り状態が維持されるとともに、糊６が包装用フィルム１の表裏面に露出しないので、他に接着することがなく、取り扱いが容易である。また、外三つ折り部２を開いた際、このシリコーン８の塗布面に糊６が残らないので、見た目に美しく、また余計な部分がトレイ１２に接着することがない。
【００４０】
また、本実施形態における包装用フィルム１では、糊６を端縁４に沿って並列に複数本設けているので、糊６の接着面積を確保したまま、外三つ折り部２の折りを容易に開くことが可能となっている。また、この糊６が端部の中央部６ａを除いて塗布されているので、この糊６が塗布されていない中央部６ａに指を入れて、端部を把持し、容易に開くことが可能となっており、作業性が良い。
【００４１】
また、本実施形態における包装用フィルム１では、糊６が外三つ折り部２の内側となる面であってその折りを開いた際に端縁４に近い面５に塗布されたことにより、端縁４に近い位置で包装用フィルム１をトレイ１２に接着することができる。これにより、包装用フィルム１の無駄な部分を省き、小型かつ安価な包装用フィルム１を提供することができる。
【００４２】
次に、本実施形態における包装用フィルム１により包装を行った包装物について説明する。
【００４３】
図８は包装用フィルム１によるトレイ１２包装後の側面図である。
通常、果実１３を入れるようなトレイ１２は、図８に示すように、開口部１４の面積よりも底部１５の面積の方が狭い。すなわち、その側面１６は開口部１４側の方が幅が広く、底部１５側の方が幅が狭い。そのため、本実施形態における包装用フィルム１のように枚葉の矩形のフィルムを開口部１４に被せてトレイ１２の側面１６に貼り付けると、包装用フィルム１の両端部６ｂがトレイ１２の側面１６からはみ出る。
【００４４】
ここで、本実施形態における包装用フィルム１は、前述のように糊６を、左右両端部の端縁４に沿う方向の両端部６ｂを除いて塗布しているので、この包装用フィルム１のはみ出た部分に糊６が露出しない。したがって、本実施形態における包装用フィルム１では、この包装用フィルム１のはみ出た部分が他の部分に接着してしまうのを防止することができる。
【００４５】
図９は包装用フィルム１による包装後の経時変化の様子を示す部分断面図である。
通常、果実１３を入れるようなトレイ１２は、図９（ａ）に示すように、開口部１４の外周にせり出させた補強用のリム１７を有する。そして、このトレイ１２内に果実１３を入れて開口部１４に包装用フィルム１を被せ、引張力（テンション）を掛けてトレイ１２の側面１６に糊６を接着させる。
【００４６】
本実施形態における糊６のような粘着剤は、急に引っ張られた場合には剥離しにくいが、長時間掛けて引っ張られると剥離しやすいという性質を有する。そのため、場合によっては、図９（ｂ）に示すように長時間経過後に糊６が剥がれてしまうことがある。ところが、本実施形態における包装用フィルム１では、糊６を端縁４に沿って並列に２本ずつ塗布しているため、まずリム１７に近い側の糊６が剥がれた後、包装用フィルム１に掛かる引張力が弱まり、もう一方の糊６が剥がれにくくなる。
【００４７】
すなわち、本実施形態における包装用フィルム１は、トレイ１２に被せ、引張力を掛けてその側面１６に糊６を接着させた場合であっても、長時間経過後にすべての糊６が剥がれてしまうことがなく、果実１３を包装した状態を保つことが可能である。なお、糊６が端縁４に沿って１本のみ塗布されている場合には、図９（ｂ）に示すリム１７に近い側の糊６が剥がれたのと同様に剥がれてしまい、包装状態を保つことができなくなる可能性がある。
【産業上の利用可能性】
【００４８】
本考案の包装用フィルムは、紙容器やプラスチック容器等の容器に収容した果実や野菜等を包装するための枚葉のフィルムとして有用である。特に、剥離紙を剥がすことなくワンタッチで容易に容器に接着することができるので、手作業により包装を行うのに好適である。また、小型かつ軽量で、外三つ折り部の折り状態が維持されている状態では、粘着剤が露出していないので、輸送および保管に適している。
【図面の簡単な説明】
【００４９】
【図１】本考案の実施の形態における包装用フィルムの平面図である。
【図２】図１のＡ−Ａ線断面図である。
【図３】包装用フィルムの外三つ折り部の折りを開く際の把持状態を示す平面図である。
【図４】外三つ折り部の折りを開く過程を示す図２のＢ部拡大図である。
【図５】外三つ折り部の折りを開く過程を示す図２のＢ部拡大図である。
【図６】包装用フィルムによる果実の包装手順の一例を示す図である。
【図７】包装用フィルムによる果実の包装手順の別の例を示す図である。
【図８】包装用フィルムによるトレイ包装後の側面図である。
【図９】包装用フィルムによる包装後の経時変化の様子を示す部分断面図である。
【符号の説明】
【００５０】
１  包装用フィルム
２  外三つ折り部
３  把持部
４  端縁
６  糊
８  シリコーン
１２  トレイ
１３  果実
１４  開口部
１５  底部
１６  側面
１７  リム
【図１】
0003106302.tif 000003
【図２】
0003106302.tif 000004
【図３】
0003106302.tif 000005
【図４】
0003106302.tif 000006
【図５】
0003106302.tif 000007
【図６】
0003106302.tif 000008
【図７】
0003106302.tif 000009
【図８】
0003106302.tif 000010
【図９】
0003106302.tif 000011